(57)【要約】  送受信機中の送信機が大電力水準にて送信するときのモデム妨害（ｊａｍ）を減少させるかまたは排除するために、ＳＩＣ（Ｓｅｌｆ−Ｉｎｔｅｒｆｅｒｅｎｃｅ  Ｃａｎｃｅｌｌｅｒ：自己干渉キャンセラー）が送受信機に組み込まれる。ＳＩＣは、第１の入力にて送信機により発生される自己干渉信号成分を含む送信機雑音参照信号を受け取り、第２の入力にて送信機により発生されるその自己干渉信号成分および必要な信号成分を含む劣化した信号を受け取り、かつその自己干渉信号成分に類似する修正信号を出力するように構成される。修正信号は劣化した信号から引き算され、モデムに入力される処理済み信号を発生させる。送信機の出力電力が予め定められた閾値より低い水準にある場合には、ＳＩＣを無効にすることができる。本発明は、複数ＲＡＴ（Ｒａｄｉｏ  Ａｃｃｅｓｓ  Ｔｅｃｈｎｏｌｏｇｙ：無線アクセス技術）送受信機に適用することができる。
2010507337.tif 000002
【特許請求の範囲】
【請求項１】
（ａ）モデムと、
（ｂ）自己干渉信号成分および必要な信号成分を含む劣化した信号を非意図的に発生させる送信機と、
（ｃ）前記自己干渉信号成分を含む送信機雑音参照信号を受け取るように、前記自己干渉信号成分および前記必要な信号成分を含む前記劣化した信号を受け取るように、ならびに前記自己干渉信号成分に類似する修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記モデムに入力される処理済み信号を発生させるために前記劣化した信号から前記修正信号を引き算するように構成される加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項２】
前記ＳＩＣが、
（ｃｌ）前記送信機雑音参照信号を受け取るように、および遅延させるように構成される遅延ユニットと、
（ｃ２）第１の相関信号を発生させるために、前記遅延された送信機雑音参照信号を前記処理済み信号と相関させるように構成される第１の相関器と、
（ｃ３）前記遅延された送信機雑音参照信号を受け取るように、および前記修正信号を発生させるように構成される等化器と、
（ｃ４）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｃ５）第２の相関信号を発生させるために、前記劣化した信号を前記修正信号と相関させるように構成される第２の相関器と、
（ｃ６）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｃ７）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする請求項１に記載のＷＴＲＵ。
【請求項３】
前記送信機の送信電力が予め定められた閾値より低いなら、前記ＬＭＳアルゴリズム選択ユニットが無効にされることを特徴とする請求項２に記載のＷＴＲＵ。
【請求項４】
（ａ）種々のＲＡＴ（Ｒａｄｉｏ  Ａｃｃｅｓｓ  Ｔｅｃｈｎｏｌｏｇｙ：無線アクセス技術）に関連付けられた複数のモデムと、
（ｂ）前記種々のＲＡＴに関連付けられた複数の送信機であって、前記送信機のそれぞれが、自己干渉信号成分および必要な信号成分を含む信号を発生させることと、
（ｃ）前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記それぞれのモデムに入力される複数の処理済み信号を発生させるために、前記それぞれの劣化した信号から前記修正信号を引き算するように構成される複数の加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項５】
（ａ）モデムと、
（ｂ）自己干渉信号成分および必要な信号成分を含む劣化した信号を発生させる送信機と、
（ｃ）前記自己干渉信号成分を含む送信機雑音参照信号を受け取るように、前記自己干渉信号成分および前記必要な信号成分を含む前記劣化した信号を受け取るように、ならびに前記自己干渉信号成分に類似する修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記モデムに入力される処理済み信号を発生させるために、前記劣化した信号から前記修正信号を引き算するように構成される加算器と
を具備することを特徴とする基地局。
【請求項６】
前記ＳＩＣが、
（ｃｌ）前記送信機雑音参照信号を受け取るように、および遅延させるように構成される遅延ユニットと、
（ｃ２）第１の相関信号を発生させるために、前記遅延された送信機雑音参照信号を前記処理済み信号と相関させるように構成される第１の相関器と、
（ｃ３）前記遅延された送信機雑音参照信号を受け取るように、および前記修正信号を発生させるように構成される等化器と、
（ｃ４）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｃ５）第２の相関信号を発生させるために、前記劣化した信号を前記修正信号と相関させるように構成される第２の相関器と、
（ｃ６）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｃ７）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする請求項５に記載の基地局。
【請求項７】
前記送信機の送信電力が予め定められた閾値より低いなら、前記ＬＭＳアルゴリズム選択ユニットが無効にされることを特徴とする請求項６に記載の基地局。
【請求項８】
（ａ）種々のＲＡＴ（Ｒａｄｉｏ  Ａｃｃｅｓｓ  Ｔｅｃｈｎｏｌｏｇｙ：無線アクセス技術）に関連付けられた複数のモデムと、
（ｂ）前記種々のＲＡＴに関連付けられた複数の送信機であって、前記送信機のそれぞれが、自己干渉信号成分および必要な信号成分を含む信号を発生させることと、
（ｃ）前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記それぞれのモデムに入力される複数の処理済み信号を発生させるために、前記それぞれの劣化した信号から前記修正信号を引き算するように構成される複数の加算器と
を具備することを特徴とする基地局。
【請求項９】
送信機により発生される信号から雑音を除去するためのＳＩＣ（Ｓｅｌｆ−Ｉｎｔｅｒｆｅｒｅｎｃｅ  Ｃａｎｃｅｌｌｅｒ：自己干渉キャンセラー）であって、
（ａ）自己干渉信号成分を含む前記送信機雑音参照信号を受け取るように、および遅延させるように構成される遅延ユニットと、
（ｂ）前記送信機により発生される劣化した信号を受け取るように、および前記劣化した信号から修正信号を引き算することにより処理済み信号を出力するように構成される加算器と、
（ｃ）第１の相関信号を発生させるために、前記遅延された送信機雑音参照信号を前記処理済み信号と相関させるように構成される第１の相関器と、
（ｄ）前記遅延された送信機雑音参照信号を受け取るように、および前記修正信号を発生させるように構成される等化器と、
（ｅ）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｆ）第２の相関信号を発生させるために、前記劣化した信号を前記修正信号と相関させるように構成される第２の相関器と、
（ｇ）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｈ）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するＬＭＳアルゴリズム選択ユニットと
を具備することを特徴とするＳＩＣ。
【請求項１０】
前記送信機の送信電力が予め定められた閾値より低いなら、前記ＬＭＳアルゴリズム選択ユニットが無効にされることを特徴とする請求項９に記載のＳＩＣ。
【請求項１１】
送信機により発生される劣化した信号から自己干渉信号成分を除去する方法であって、
前記自己干渉信号成分を含む送信機雑音参照信号を受け取るステップ、および遅延させるステップと、
前記遅延された送信機雑音参照信号に基づき、修正信号を発生させるステップと、
前記自己干渉信号成分および必要な信号成分を含む劣化した信号を受け取るステップと、
処理済み信号を発生させるために前記劣化した信号から前記修正信号を引き算するステップと
を具備することを特徴とする方法。
【請求項１２】
第１の相関信号を発生させるために、前記遅延された送信機雑音参照信号を前記処理済み信号と相関させるステップと、
前記処理済み信号および前記第１の相関信号に基づき、第１の重みベクトル信号を発生させるステップと、
第２の相関信号を発生させるために、前記劣化した信号を前記修正信号と相関させるステップと、
前記第２の相関信号に基づき、第２の重みベクトル信号を発生させるステップと、
前記修正信号を発生させるために、前記第１および第２の重みベクトル信号の何れが使用されるべきであるかを判定するステップと
をさらに具備することを特徴とする請求項１１に記載の方法。
【発明の詳細な説明】
【技術分野】
【０００１】
本発明は無線通信システムに関する。
【背景技術】
【０００２】
現在の移動体技術の傾向は、それぞれの個々のアンテナを介して、またはデュプレクサー・フィルターを通して共有される共通アンテナを介して送信し、受信する、単一のＷＴＲＵ（Ｗｉｒｅｌｅｓｓ  Ｔｒａｎｓｍｉｔ  Ｒｅｃｅｉｖｅ  Ｕｎｉｔ：無線送受信ユニット）に、複数のＲＡＴ（Ｒａｄｉｏ  Ａｃｃｅｓｓ  Ｔｅｃｈｎｏｌｏｇｙ：無線アクセス技術）を集積する。ＲＡＴ無線インターフェイスに対する特有な仕様は、標準的展開シナリオに準拠して導出される。同一ＷＴＲＵに集積された複数のＲＡＴの場合では、受信機感度退行をもたらす自己干渉は大きな影響を与える場合がある。
【０００３】
図１は、送信機１０５、ＰＡ（Ｐｏｗｅｒ  Ａｍｐｌｉｆｉｅｒ：電力増幅器）１１０、および変／復調器（モデム）１４０を含む、従来の送受信機１００において生起する問題の例を示しており、送信機１０５およびＰＡ１１０によって発生される雑音がモデム１４０を妨害（ｊａｍ）する原因となる。送受信機１００はまた、デュプレクサー１１５、アンテナ１２０、ＬＮＡ（Ｌｏｗ  Ｎｏｉｓｅ  Ａｍｐｌｉｆｉｅｒ：低雑音増幅器）１２５、受信機１３０、およびＡＤＣ（Ａｎａｌｏｇ−ｔｏ−Ｄｉｇｉｔａｌ  Ｃｏｎｖｅｒｔｅｒ：ＡＤ変換器）１３５を含む場合がある。デュプレクサー１１５は、送信フィルター１１５Ａおよび受信フィルター１１５Ｂを含む場合がある。送信機１０５は、ＰＡ１１０によって増幅され、そしてデュプレクサー１１５の送信フィルター１１５Ａを介してアンテナ１２０に向けられる信号を出力する。アンテナ１２０によって受信された信号は、デュプレクサー１１５の受信フィルター１１５Ｂ、ＬＮＡ１２５、受信機１３０、およびＡＤＣ１３５を介してモデム１４０に向けられる。ＬＮＡ１２５は受信された信号を増幅し、受信機は受信された信号をベースバンド信号に逓降変換（ｄｏｗｎ−ｃｏｎｖｅｒｔ）し、そしてＡＤＣ１３５はベースバンド信号をデジタル信号に変換し、これがモデム１４０に入力される。
【０００４】
図１において示された例において、ＰＡ１１５の出力雑音密度は−１２０ｄＢｍ／Ｈｚ（受信帯域における出力が＋２４ｄＢｍの場合）であり、そしてデュプレクサー１１５は送信機帯域雑音を抑圧するためにおよそ４０ｄＢの分離性（ｉｓｏｌａｔｉｏｎ）を提供することができる。したがって、送信機１０５からの自己干渉雑音電力は−１６０ｄＢｍ／Ｈｚであり、これは受信機の雑音下限値−１６７ｄＢｍ／Ｈｚ（５０オーム雑音密度である−１７４ｄＢｍ／Ｈｚプラス典型的な受信機の雑音指数である７ｄＢ）の７ｄＢ上である。
【０００５】
受信機および送信機が受信帯域において発生した雑音の全体的結合雑音が、全体的ＮＦ（Ｎｏｉｓｅ  Ｆｉｇｕｒｅ：雑音指数）を１ｄＢより大きく劣化させないであろうように、送信機雑音水準を、抑制することが望ましいであろう。図１の例においては、結合雑音を−１６６ｄＢｍ／Ｈｚにて見込むことが期待されるであろう。そしてこれが、送信機が発生する雑音を、以下のように制限する：
−１６６ｄＢｍ／Ｈｚ−（−１６７ｄＢｍ／Ｈｚ）
＝２．５ｅ-17ｍＷ／Ｈｚ−２ｅ−１７ｍＷ／Ｈｚ
＝０．５ｅ-17ｍＷ／Ｈｚ
＝−１７３ｄＢｍ／Ｈｚ。
したがって、送信機１０５により発生される雑音は、−１６０ｄＢｍ／Ｈｚ−（−１７３ｄＢｍ／Ｈｚ）＝１３ｄＢだけ減少させることが望まれるであろう。
【発明の概要】
【０００６】
送受信機中の送信機が大電力水準にて送信するときのモデム妨害（ｊａｍ）を減少させるかまたは排除するために、ＳＩＣ（Ｓｅｌｆ−Ｉｎｔｅｒｆｅｒｅｎｃｅ  Ｃａｎｃｅｌｌｅｒ：自己干渉キャンセラー）が送受信機に組み込まれる。ＳＩＣは、第１の入力にて送信機により発生される自己干渉信号成分を含む送信機雑音参照信号を受け取り、第２の入力にて送信機により発生されるその自己干渉信号成分および必要な信号成分を含む劣化した信号を受け取り、かつその自己干渉信号成分に類似する修正信号を出力するように構成される。修正信号は劣化した信号から引き算され、モデムに入力される処理済み信号を発生させる。送信機の出力電力が予め定められた閾値より低い水準にある場合には、ＳＩＣを無効にすることができる。本発明は、複数ＲＡＴ送受信機に適用することができる。
【図面の簡単な説明】
【０００７】
本発明の以上の概要および以下の詳細な説明は、付加された図面を参照して読み取ることにより、より良く理解されるであろう。
【図１】送信機が発生させる雑音のために受信機妨害を経験する従来の送受信機の例を示す図である。
【図２】モデム妨害を防ぐ混成適応型ＳＩＣを含む送受信機の例を示す図である。
【図３】図２の送受信機において使用される混成適応型ＳＩＣの構成の例を示す図である。
【図４】混成費用誤差関数を示す図である。
【図５】適応型複数モード混成適応型ＳＩＣを使用する複数ＲＡＴ送受信機の例を示す図である。
【発明を実施するための形態】
【０００８】
これ以後参照されると、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）は、限定的ではなく、ＵＥ（Ｕｓｅｒ  Ｅｑｕｉｐｍｅｎｔ：ユーザー設備）、移動端末、固定型または移動体の加入者ユニット、ページャー、または無線環境において動作する能力のある他の如何なる種別のデバイスをも含む。これ以後参照されると、基地局（ｂａｓｅ  ｓｔａｔｉｏｎ）は、限定的ではなく、ノードＢ（Ｎｏｄｅ−Ｂ）、サイト制御装置、アクセス・ポイント（ａｃｃｅｓｓ  ｐｏｉｎｔ）、または無線環境における他の如何なる種別のインターフェイス・デバイスをも含む。
【０００９】
本発明は、ＷＴＲＵまたは基地局などの送受信機において、受信通過帯域に漏洩する、帯域外の送信機雑音によって引き起こされる自己干渉の軽減を提供する。本発明は、対象の受信機帯域における送信機ＲＦ信号を標本抽出するために参照受信機を実施する。デジタル・ベースバンド処理が使用され、ベースバンド・モデム処理に先立って受信信号経路から自己干渉信号を適応的に引き算する。
【００１０】
本発明は、デュプレクサーの有限の物理的分離性および寄生経路によって、またはデバイスにて１つより多いアンテナが使用されるならアンテナを通して空間的に、送受信機の受信機通過帯域に漏洩する自己干渉信号を減少させる。送信される信号の標本は、混成適応型ＳＩＣへの参照として使用される。受信経路は、必要な信号成分ｓ（ｔ）および可干渉性の自己干渉信号成分Ｉ（ｔ）より成る。ＳＩＣは、等価器の重みベクトルを適応的に更新し、受信機感度退行が最小になることを確実にするために送受信機のモデムの入力での干渉水準を減少させる。
【００１１】
図２は送受信機２００の例を示し、送受信機２００の送信経路における送信機２０５およびＰＡ２１０によって引き起こされるモデム２４０への妨害を回避する。送信機２０５およびＰＡ２１０によって発生される雑音は、それが受信機雑音の下限値に近い場合に、必要な低電力信号を雑音が妨害しないように削減される。送受信機２００は、ＷＴＲＵまたは基地局に組み込むことができる。送受信機２００は、送信機２０５およびモデム２４０の他に、ＰＡ２１０、デュプレクサー２１５、アンテナ２２０、ＬＮＡ２２５、受信機２３０、第１のＡＤＣ２３５、結合器２４５、帯域通過フィルター２４８、参照受信機２５０、第２のＡＤＣ２５５、混成適応型ＳＩＣ２６０、および加算器２６５を含むことができる。加算器は、混成適応型ＳＩＣ２６０に組み込むことができ、または混成適応型ＳＩＣ２６０の外部の別の部品である場合がある。
【００１２】
図２を参照すると、送信機２０５が信号を出力し、それがＰＡ２１０によって増幅され、そして結合器２４５および、デュプレクサー２１５の送信フィルター２１５Ａを介してアンテナ２２０に向けられる。アンテナ１２０によって受信された信号は、ＬＮＡ２２５によって増幅され、受信機２３０を介してベースバンド信号に逓降変換され、第１のＡＤＣ２３５を介してデジタル信号２７５に変換される。等化器出力信号（すなわち修正信号）２８５は、混成適応型ＳＩＣ２６０によって出力され、そしてデジタル信号２７５から引き算され、モデム２４０へ出力される。ＰＡ２１０の出力での受信帯域雑音は、結合器２４５によって標本抽出され、帯域通過フィルター２４８によって濾波され、参照受信機２５０によりベースバンド信号に逓降変換され、第２のＡＤＣ２５５を介してデジタル信号２８０に変換され、そして次に混成適応型ＳＩＣ２６０に入力される。帯域通過フィルター２４８は、送信帯域における信号を排除し（すなわち減衰させ）、そして受信帯域における信号が最小量の損失により通過することを可能にする。
【００１３】
図２の送受信機２００は、混成適応型ＳＩＣ２６０を使用して混成ＬＭＳ（Ｌｅａｓｔ  Ｍｅａｎ  Ｓｑｕａｒｅｄ：最小二乗平均）相関技法を実施することができる。送受信機２００は、自己干渉信号成分Ｉ（ｔ）を受信機２３０の雑音下限値の下６ｄＢまたはそれ以下まで削減させることができ、受信機感度退行を１ｄＢにすることができ、それが改善された受信機性能（例えばデータ速度の増加）を可能にする。混成適応型ＳＩＣ２６０は、デジタル信号２８０の自己干渉信号成分Ｉ（ｔ）を、自己干渉信号成分Ｉ（ｔ）により劣化した必要な信号成分ｓ（ｔ）を含む（すなわち、ｓ（ｔ）＋Ｉ（ｔ）の）デジタル信号２７５と相関させることによって、送信機２０５で発生する雑音がモデム２４０を妨害することを回避する。加算器２６５は、自己干渉信号成分Ｉ（ｔ）に厳密に類似するように混成適応型ＳＩＣ２６０によって発生された、等化器出力信号（すなわち修正信号）２８５を、デジタル信号２７５から引き算することによって、デジタル信号２７５から自己干渉信号成分Ｉ（ｔ）を除去し、加算器２６５からモデム２４０に対して出力される処理済みデジタル信号２７０をもたらす。
【００１４】
送信機２０５により発生する雑音に依るモデム２４０への妨害は、大電力水準にてのみ発生する。したがって、送信機２０５により低水準にて発生する雑音は、この雑音が受信機２３０の雑音下限値の実質的に下であるため、混成適応型ＳＩＣ２６０が相殺する必要はない。例えば送信機２０５の出力電力が減少すると（例えば１５ｄＢだけ）、受信機２３０の感度悪化は無視できるようになり、そしてＴＰＣ（Ｔｒａｎｓｍｉｔ  Ｐｏｗｅｒ  Ｃｏｎｔｒｏｌ：送信電力制御）信号２９０により混成適応型ＳＩＣ２６０を無効にすることができる。
【００１５】
図３は、図２の送受信機２００において使用される混成適応型ＳＩＣ２６０の構成の一例を示す。混成適応型ＳＩＣ２６０は、第１の相関器３０５、最大（ｍａｘ）ＬＭＳアルゴリズム・ユニット３１０、等化器３１５、最少（ｍｉｎ）ＬＭＳアルゴリズム・ユニット３２０、第２の相関器３２５、ＬＭＳアルゴリズム選択ユニット３３０、および遅延ユニット３３５を含むことができる。
【００１６】
図３の例において示されるように、自己干渉信号成分Ｉ（ｔ）を含むデジタル信号２８０が、自己干渉信号成分Ｉ（ｔ）により劣化した必要な信号成分ｓ（ｔ）を含む（すなわちｓ（ｔ）＋Ｉ（ｔ）の）、デジタル信号２７５に時間的に整列させるために、遅延ユニット３３５により遅延される。遅延３３５により出力される遅延されたデジタル雑音標本信号３４０は、等化器３１５、第１の相関器３０５、第２の相関器３２５へ供給される。
【００１７】
第２の相関器３２５は、処理済みデジタル信号２７０および遅延デジタル雑音標本信号３４０の間の相関の値（例えばＳＩＲ（Ｓｉｇｎａｌ−Ｔｏ−Ｉｎｔｅｒｆｅｒｅｎｃｅ  Ｒａｔｉｏ：信号対干渉比））を表す相関信号３４５を、ｍｉｎＬＭＳアルゴリズム・ユニット３２０およびＬＭＳアルゴリズム選択ユニット３３０に、出力する。ｍｉｎＬＭＳアルゴリズム・ユニット３２０は、処理済みデジタル信号２７０および相関信号３４５の値に基づき、重みベクトル３５０を発生させる。
【００１８】
第１の相関器３０５は、処理済みデジタル信号２７０および等化器出力信号２８５の間の相関を表す相関信号３５５を、ｍａｘＬＭＳアルゴリズム・ユニット３２０およびＬＭＳアルゴリズム選択ユニット３３０に出力する。ｍａｘＬＭＳアルゴリズム・ユニット３１０は、相関信号３５５の値に基づき、重みベクトル３６０を発生させる。
【００１９】
すなわち、ｍｉｎＬＭＳアルゴリズム・ユニット３２０およびｍａｘＬＭＳアルゴリズム・ユニット３１０の内の少なくとも１つがそれぞれ重みベクトル信号３５０または重みベクトル信号３６０を出力し、その重みベクトル信号が、等化器３１５により発生される出力信号２８５を、それが自己干渉信号成分Ｉ（ｔ）に厳密に類似するように、調節する（すなわち動的に重み付けする）。自己干渉信号成分Ｉ（ｔ）を完全に排除することを目的として、等化器出力信号２８５は次にデジタル信号２７５から引き算される。
【００２０】
相関関係信号３４５および３５５の値に基づき、ＬＭＳアルゴリズム選択ユニット３３０は、ｍａｘＬＭＳアルゴリズム・ユニット３１０からの重みベクトル信号３６０か、またはｍｉｎＬＭＳアルゴリズム・ユニット３２０からの重みベクトル信号３５０の何れを使用するべきかを判定する等化器３１５に、重みベクトル選択信号３６５を送出する。ＴＰＣ信号２９０が、送信機２０５の電力が、モデム２４０の妨害を引き起こさないであろう水準の、予め定められた閾値（例えば−１０ｄＢから−２０ｄＢの間）より低いことを表す場合には、混成適応型ＳＩＣ２６０は無効にされる。
【００２１】
干渉信号成分Ｉ（ｔ）の水準が必要な信号成分ｓ（ｔ）の水準に接近すると、この方法の性能は限定される。その結果として、ｍｉｎＬＭＳアルゴリズム・ユニット３２０の最小動作点は、必要な信号成分ｓ（ｔ）の水準の近くに留まり、送受信機２００の性能において３ｄＢの悪化をもたらす。
【００２２】
混成適応型ＳＩＣ２６０は、高いおよび低いＳＩＲ両方にて最適な相殺応答を達成するために、種々の多元コスト関数基準の間から適応的に選択する。図４は、混成のコスト「誤差（ｅｒｒｏｒ）」関数を示す。最少ＬＭＳコスト関数は凸関数によって例証され、そして最大ＬＭＳ機能は凹関数によって例証される。混成アルゴリズムは、最少および最大のＬＭＳコスト関数の両方の同時最適化を実行することにより機能する。コスト関数の最適化は、主信号経路において加算器の出力にて最小誤差を達成するように等化器の重みを適合させることによって見出される。等化器のタップ「Ｗk」は、誤差信号の勾配∇e(t)および定数αに基づいて調節される。最少ＬＭＳアルゴリズムは、式（１）によって記述され、そして最大ＬＭＳアルゴリズムは式（２）によって記述される。
【００２３】
【数１】
2010507337.tif 000003
【００２４】
【数２】
2010507337.tif 000004
【００２５】
ここで、ｋはｋ番目の等化器タップを記述する指数である。
【００２６】
それぞれのコスト関数を最小にするために使用される誤差予測は、以下のように式（３）基づく：
【００２７】
【数３】
2010507337.tif 000005
【００２８】
最少ＬＭＳアルゴリズムは、最初に必要な動作点を捜し求めるが、動的な雑音によって制限されそのためにこの最小限界を達成できない。いったんこの限界が獲得されると、最少ＬＭＳの等化器タップ係数が固定され、そして最大ＬＭＳアルゴリズムが受け継ぎ、必要な最大ＬＭＳを達成するために等化器タップを動的に調整する。自己干渉雑音信号を受信機雑音下限値より低く相殺することにより、自己干渉信号のないシステムに匹敵するシステム性能を可能にすることがこの成果である。
【００２９】
上で記述された混成適応型ＳＩＣ２６０の特徴は、複数のＲＡＴとインターフェイスするように拡張することが可能である。図５は複数ＲＡＴの送受信機５００の例証を示す。それぞれの結合器６０５、６１０、６１５は、それぞれの送信機出力にてそれぞれの干渉信号からＲＦの標本を獲得するために使用される。帯域選択信号５２０は、対象の帯域を動的に選択し、そして受信するために使用され、そして参照受信機５２５の同調を設定する。参照ベースバンド信号５３０は、ＡＤＣ５３５によってデジタル化され、そして上で記述されたのと同様に、適応的に処理される。混成適応型ＳＩＣ５４０は、Ｎ台のＲＡＴ（帯域）の干渉の相殺を支援するためのＮ連の同じ実施方法にまで拡張される。提案された構造においては、単一の干渉しているＲＡＴを個別に処理することができ、または動的に交代して等価更新することで複数のＲＡＴを処理することができる。
【００３０】
例として、ここでの実施形態は、ＷＴＲＵ、基地局、無線ネットワーク制御装置において、物理層にて、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ハードウェア、またはＤＳＰ（Ｄｉｇｉｔａｌ  Ｓｉｇｎａｌ  Ｐｒｏｃｅｓｓｏｒ：デジタル信号処理装置）の形態にて、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）ＭＩＭＯ（Ｍｕｌｔｉｐｌｅ−Ｉｎｐｕｔ  Ｍｕｌｔｉｐｌｅ−Ｏｕｔｐｕｔ：複数入出力）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ：広帯域符号分割多元接続）、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、またはＩＥＥＥの８０２．１１準拠のシステムにおいて実施することができる。本発明は、高速下り回線パケット・アクセス、スマート・アンテナ、携帯電話、スマート・フォン、機能電話、ラップトップ、または他の如何なる個人通信装置をも含むデータ・カードに適用可能である。
【００３１】
実施形態
１．  （ａ）モデムと、
（ｂ）自己干渉信号成分および必要な信号成分を含む劣化した信号を非意図的に発生させる送信機と、
（ｃ）前記自己干渉信号成分に類似する修正信号を発生させるように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記モデムに入力される処理済み信号を発生させるために前記劣化した信号から前記修正信号を引き算するように構成される加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【００３２】
２．  前記ＳＩＣキャンセラーが、前記自己干渉信号成分を含む送信機雑音参照信号を受け取るように、ならびに前記自己干渉信号成分および前記必要な信号成分を含む前記劣化した信号を受け取るようにさらに構成されることを特徴とする、実施形態１に記載のＷＴＲＵ
【００３３】
３．  前記ＳＩＣが、
（ｃｌ）前記送信機雑音参照信号を受け取るように、および遅延させるように構成される遅延ユニットと、
（ｃ２）第１の相関信号を発生させるために、前記遅延された送信機雑音参照信号を前記処理済み信号と相関させるように構成される第１の相関器と、
（ｃ３）前記遅延された送信機雑音参照信号を受け取るように、および前記修正信号を発生させるように構成される等化器と、
（ｃ４）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｃ５）第２の相関信号を発生させるために、前記劣化した信号を前記修正信号と相関させるように構成される第２の相関器と、
（ｃ６）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｃ７）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする実施形態２に記載のＷＴＲＵ。
【００３４】
４．  前記送信機の送信電力が予め定められた閾値より低いなら、前記ＬＭＳアルゴリズム選択ユニットが無効にされることを特徴とする実施形態３に記載のＷＴＲＵ。
【００３５】
５．  （ａ）種々のＲＡＴ（Ｒａｄｉｏ  Ａｃｃｅｓｓ  Ｔｅｃｈｎｏｌｏｇｙ：無線アクセス技術）に関連付けられた複数のモデムと、
（ｂ）前記種々のＲＡＴに関連付けられた複数の送信機であって、前記送信機のそれぞれが、自己干渉信号成分および必要な信号成分を含む信号を発生させることと、
（ｃ）前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記それぞれのモデムに入力される複数の処理済み信号を発生させるために、前記それぞれの劣化した信号から前記修正信号を引き算するように構成される複数の加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【００３６】
６．  （ａ）モデムと、
（ｂ）自己干渉信号成分および必要な信号成分を含む劣化した信号を発生させる送信機と、
（ｃ）前記自己干渉信号成分を含む送信機雑音参照信号を受け取るように、前記自己干渉信号成分および前記必要な信号成分を含む前記劣化した信号を受け取るように、ならびに前記自己干渉信号成分に類似する修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記モデムに入力される処理済み信号を発生させるために、前記劣化した信号から前記修正信号を引き算するように構成される加算器と
を具備することを特徴とする基地局。
【００３７】
７．  前記ＳＩＣが、
（ｃｌ）前記送信機雑音参照信号を受け取るように、および遅延させるように構成される遅延ユニットと、
（ｃ２）第１の相関信号を発生させるために、前記遅延された送信機雑音参照信号を前記処理済み信号と相関させるように構成される第１の相関器と、
（ｃ３）前記遅延された送信機雑音参照信号を受け取るように、および前記修正信号を発生させるように構成される等化器と、
（ｃ４）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｃ５）第２の相関信号を発生させるために、前記劣化した信号を前記修正信号と相関させるように構成される第２の相関器と、
（ｃ６）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｃ７）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする実施形態６に記載の基地局。
【００３８】
８．  前記送信機の送信電力が予め定められた閾値より低いなら、前記ＬＭＳアルゴリズム選択ユニットが無効にされることを特徴とする実施形態７に記載の基地局。
【００３９】
９．  （ａ）種々のＲＡＴ（Ｒａｄｉｏ  Ａｃｃｅｓｓ  Ｔｅｃｈｎｏｌｏｇｙ：無線アクセス技術）に関連付けられた複数のモデムと、
（ｂ）前記種々のＲＡＴに関連付けられた複数の送信機であって、前記送信機のそれぞれが、自己干渉信号成分および必要な信号成分を含む信号を発生させることと、
（ｃ）前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）と、
（ｄ）前記それぞれのモデムに入力される複数の処理済み信号を発生させるために、前記それぞれの劣化した信号から前記修正信号を引き算するように構成される複数の加算器と
を具備することを特徴とする基地局。
【００４０】
１０．  送信機により発生される信号から雑音を除去するためのＳＩＣ（Ｓｅｌｆ−Ｉｎｔｅｒｆｅｒｅｎｃｅ  Ｃａｎｃｅｌｌｅｒ：自己干渉キャンセラー）であって、
（ａ）自己干渉信号成分を含む前記送信機雑音参照信号を受け取るように、および遅延させるように構成される遅延ユニットと、
（ｂ）前記送信機により発生される劣化した信号を受け取るように、および前記劣化した信号から修正信号を引き算することにより処理済み信号を出力するように構成される加算器と、
（ｃ）第１の相関信号を発生させるために、前記遅延された送信機雑音参照信号を前記処理済み信号と相関させるように構成される第１の相関器と、
（ｄ）前記遅延された送信機雑音参照信号を受け取るように、および前記修正信号を発生させるように構成される等化器と、
（ｅ）前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
（ｆ）第２の相関信号を発生させるために、前記劣化した信号を前記修正信号と相関させるように構成される第２の相関器と、
（ｇ）前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
（ｈ）前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するＬＭＳアルゴリズム選択ユニットと
を具備することを特徴とするＳＩＣ。
【００４１】
１１．  前記送信機の送信電力が予め定められた閾値より低いなら、前記ＬＭＳアルゴリズム選択ユニットが無効にされることを特徴とする実施形態１０に記載のＳＩＣ。
【００４２】
１２．  送信機により発生される劣化した信号から自己干渉信号成分を除去する方法であって、
前記自己干渉信号成分を含む送信機雑音参照信号を受け取るステップ、および遅延させるステップと、
前記遅延された送信機雑音参照信号に基づき、修正信号を発生させるステップと、
前記自己干渉信号成分および必要な信号成分を含む劣化した信号を受け取るステップと、
処理済み信号を発生させるために前記劣化した信号から前記修正信号を引き算するステップと
を具備することを特徴とする方法。
【００４３】
１３．  第１の相関信号を発生させるために、前記遅延された送信機雑音参照信号を前記処理済み信号と相関させるステップと、
前記処理済み信号および前記第１の相関信号に基づき、第１の重みベクトル信号を発生させるステップと、
第２の相関信号を発生させるために、前記劣化した信号を前記修正信号と相関させるステップと、
前記第２の相関信号に基づき、第２の重みベクトル信号を発生させるステップと、
前記修正信号を発生させるために、前記第１および第２の重みベクトル信号の何れが使用されるべきであるかを判定するステップと
をさらに具備することを特徴とする実施形態１２に記載の方法。
【００４４】
実施形態において特徴および要素が特定の組み合わせにて記述されているが、それぞれの特徴または要素は、実施形態の他の特徴および要素なしで単独にて、または本発明の他の特徴および要素のあるなしにかかわらず様々な組み合わせにて使用可能である。ここに提供された方法またはフロー図は、汎用目的のコンピューターまたは処理装置による実行のための、コンピューターにて読み取り可能な記憶装置媒体にて実体的に具現化されるコンピューター・プログラム、ソフトウェア、またはファームウェアにて実施することができる。コンピューターにて読み取り可能な記憶装置媒体の例としては、ＲＡＭ（Ｒａｎｄｏｍ  Ａｃｃｅｓｓ  Ｍｅｍｏｒｙ：ランダム・アクセス・メモリ）、レジスター、キャッシュ・メモリ、半導体メモリ・デバイス、内蔵ハード・ディスクおよび着脱可能ディスクなどの磁気媒体、磁気−光学媒体、ならびに光学媒体およびＤＶＤ（Ｄｉｇｉｔａｌ  Ｖｅｒｓａｔｉｌｅ  Ｄｉｓｋ：デジタル多用途ディスク）が含まれる。
【００４５】
適切な処理装置の例としては、汎用目的処理装置、専用目的処理装置、従来の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかの種別のＩＣ（Ｉｎｔｅｇｒａｔｅｄ  Ｃｉｒｃｕｉｔ：集積回路）、および／または状態マシンが含まれる。
【００４６】
ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）、ＵＥ（Ｕｓｅｒ  Ｅｑｕｉｐｍｅｎｔ：ユーザー設備）、端末、基地局、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。
ＷＴＲＵは、ハードウェアおよび／またはソフトウェアにて実施され、カメラ、ビデオカメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｅｄ：周波数変調された）無線ユニット、ＬＣＤ（Ｌｉｑｕｉｄ  Ｃｒｙｓｔａｌ  Ｄｉｓｐｌａｙ：液晶）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｃｃｅｓｓ  Ｎｅｔｗｏｒｋ：無線ＬＡＮ）モジュールなどのモジュールと連動して使用することができる。
【図１】
2010507337.tif 000006
【図２】
2010507337.tif 000007
【図３】
2010507337.tif 000008
【図４】
2010507337.tif 000009
【図５】
2010507337.tif 000010
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
モデムと、
自己干渉信号成分および必要な信号成分を含む劣化した信号を非意図的に発生させる送信機と、
前記自己干渉信号成分を含む送信機雑音参照信号を受け取るように、前記自己干渉信号成分および前記必要な信号成分を含む前記劣化した信号を受け取るように、ならびに前記自己干渉信号成分に類似する修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）であって、前記ＳＩＣが、前記送信機が前記モデムを妨害することを回避することと、
前記モデムに入力される処理済み信号を発生させるために前記劣化した信号から前記修正信号を引き算するように構成される加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項２】
前記ＳＩＣが、
前記送信機雑音参照信号を受け取るように、および遅延させるように構成される遅延ユニットと、
第１の相関信号を発生させるために、前記遅延された送信機雑音参照信号を前記処理済み信号と相関させるように構成される第１の相関器と、
前記遅延された送信機雑音参照信号を受け取るように、および前記修正信号を発生させるように構成される等化器と、
前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
第２の相関信号を発生させるために、前記劣化した信号を前記修正信号と相関させるように構成される第２の相関器と、
前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする請求項１に記載のＷＴＲＵ。
【請求項３】
前記送信機の送信電力が予め定められた閾値より低いなら、前記ＬＭＳアルゴリズム選択ユニットが無効にされることを特徴とする請求項２に記載のＷＴＲＵ。
【請求項４】
種々のＲＡＴ（Ｒａｄｉｏ  Ａｃｃｅｓｓ  Ｔｅｃｈｎｏｌｏｇｙ：無線アクセス技術）に関連付けられた複数のモデムと、
前記種々のＲＡＴに関連付けられた複数の送信機であって、前記送信機のそれぞれが、自己干渉信号成分および必要な信号成分を含む信号を発生させることと、
前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）であって、前記ＳＩＣが、前記送信機が前記モデムを妨害することを回避することと、
前記それぞれのモデムに入力される複数の処理済み信号を発生させるために、前記それぞれの劣化した信号から前記修正信号を引き算するように構成される複数の加算器と
を具備することを特徴とするＷＴＲＵ（Ｗｉｒｅｌｅｓｓ  Ｔｒａｎｓｍｉｔ  Ｒｅｃｅｉｖｅ  Ｕｎｉｔ：無線送受信ユニット）。
【請求項５】
モデムと、
自己干渉信号成分および必要な信号成分を含む劣化した信号を発生させる送信機と、
前記自己干渉信号成分を含む送信機雑音参照信号を受け取るように、前記自己干渉信号成分および前記必要な信号成分を含む前記劣化した信号を受け取るように、ならびに前記自己干渉信号成分に類似する修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）であって、前記ＳＩＣが、前記送信機が前記モデムを妨害することを回避することと、
前記モデムに入力される処理済み信号を発生させるために、前記劣化した信号から前記修正信号を引き算するように構成される加算器と
を具備することを特徴とする基地局。
【請求項６】
前記ＳＩＣが、
前記送信機雑音参照信号を受け取るように、および遅延させるように構成される遅延ユニットと、
第１の相関信号を発生させるために、前記遅延された送信機雑音参照信号を前記処理済み信号と相関させるように構成される第１の相関器と、
前記遅延された送信機雑音参照信号を受け取るように、および前記修正信号を発生させるように構成される等化器と、
前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
第２の相関信号を発生させるために、前記劣化した信号を前記修正信号と相関させるように構成される第２の相関器と、
前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するように構成されるＬＭＳアルゴリズム選択ユニットと
を具備することを特徴とする請求項５に記載の基地局。
【請求項７】
前記送信機の送信電力が予め定められた閾値より低いなら、前記ＬＭＳアルゴリズム選択ユニットが無効にされることを特徴とする請求項６に記載の基地局。
【請求項８】
種々のＲＡＴ（Ｒａｄｉｏ  Ａｃｃｅｓｓ  Ｔｅｃｈｎｏｌｏｇｙ：無線アクセス技術）に関連付けられた複数のモデムと、
前記種々のＲＡＴに関連付けられた複数の送信機であって、前記送信機のそれぞれが、自己干渉信号成分および必要な信号成分を含む信号を発生させることと、
前記それぞれの自己干渉信号成分を含む複数の送信機雑音参照信号を受け取るように、前記それぞれの自己干渉信号成分および前記必要な信号成分を含む劣化した信号を受け取るように、ならびに前記それぞれの自己干渉信号成分に類似する複数の修正信号を出力するように構成されるＳＩＣ（Ｓｅｌｆ−Ｉｎｔｅｒｆｅｒｅｎｃｅ  Ｃａｎｃｅｌｌｅｒ：自己干渉キャンセラー）であって、前記ＳＩＣが、前記送信機が前記モデムを妨害することを回避することと、
前記それぞれのモデムに入力される複数の処理済み信号を発生させるために、前記それぞれの劣化した信号から前記修正信号を引き算するように構成される複数の加算器と
を具備することを特徴とする基地局。
【請求項９】
送信機により発生される信号から雑音を除去するためのＳＩＣ（Ｓｅｌｆ−Ｉｎｔｅｒｆｅｒｅｎｃｅ  Ｃａｎｃｅｌｌｅｒ：自己干渉キャンセラー）であって、
自己干渉信号成分を含む前記送信機雑音参照信号を受け取るように、および遅延させるように構成される遅延ユニットと、
前記送信機により発生される劣化した信号を受け取るように、および前記劣化した信号から修正信号を引き算することにより処理済み信号を出力するように構成される加算器と、
第１の相関信号を発生させるために、前記遅延された送信機雑音参照信号を前記処理済み信号と相関させるように構成される第１の相関器と、
前記遅延された送信機雑音参照信号を受け取るように、および前記修正信号を発生させるように構成される等化器と、
前記処理済み信号および前記第１の相関信号に基づき、前記等化器に第１の重みベクトル信号を出力するように構成される最少ＬＭＳ（Ｌｅａｓｔ  Ｍｅａｎ  Ｓｑｕａｒｅｄ：最小二乗平均）アルゴリズム・ユニットと、
第２の相関信号を発生させるために、前記劣化した信号を前記修正信号と相関させるように構成される第２の相関器と、
前記第２の相関信号に基づき、前記等化器に第２の重みベクトル信号を出力するように構成される最大ＬＭＳ（Ｌｅａｓｔ  Ｍｅａｎ  Ｓｑｕａｒｅｄ：最小二乗平均）アルゴリズム・ユニットと、
前記修正信号を発生させるために、前記第１および第２の重みベクトル信号の内の何れが前記等化器によって使用されるべきであるかを判定するために、前記第１および第２の相関信号に基づき、前記等化器へ重み選択ベクトル信号を入力するＬＭＳアルゴリズム選択ユニットと
を具備することを特徴とするＳＩＣ。
【請求項１０】
前記送信機の送信電力が予め定められた閾値より低いなら、前記ＬＭＳアルゴリズム選択ユニットが無効にされることを特徴とする請求項９に記載のＳＩＣ。
【請求項１１】
送信機により発生される劣化した信号から自己干渉信号成分を除去する方法であって、
前記自己干渉信号成分を含む送信機雑音参照信号を受け取るステップ、および遅延させるステップと、
前記遅延された送信機雑音参照信号に基づき、修正信号を発生させるステップと、
前記自己干渉信号成分および必要な信号成分を含む劣化した信号を受け取るステップと、
処理済み信号を発生させるために前記劣化した信号から前記修正信号を引き算するステップと
を具備することを特徴とする方法。
【請求項１２】
第１の相関信号を発生させるために、前記遅延された送信機雑音参照信号を前記処理済み信号と相関させるステップと、
前記処理済み信号および前記第１の相関信号に基づき、第１の重みベクトル信号を発生させるステップと、
第２の相関信号を発生させるために、前記劣化した信号を前記修正信号と相関させるステップと、
前記第２の相関信号に基づき、第２の重みベクトル信号を発生させるステップと、
前記修正信号を発生させるために、前記第１および第２の重みベクトル信号の何れが使用されるべきであるかを判定するステップと
をさらに具備することを特徴とする請求項１１に記載の方法。
【国際調査報告】
2010507337.tif 000011
2010507337.tif 000012
2010507337.tif 000013